(57)【要約】【課題】送信に使用されたアンテナの数を受信側で容易に推定できる無線通信装置を提供する。【解決手段】複数のアンテナによって送信される、既知情報を伝送するサブキャリア配置がそれぞれ異なる時間的に連続する複数の既知シンボルをそれぞれ含み、各既知シンボルは、時間的に隣接する既知シンボルとの間で、既知情報を伝送するサブキャリアが互いに隣接するサブキャリア配置を有する複数の既知シンボル列を受信し、受信した既知シンボル列の各既知シンボルからサブキャリア毎の伝送路特性推定値を求め、各既知シンボルについて、当該既知シンボルから求めた伝送路特性推定値と１番目に受信した既知シンボルから求めた伝送路特性推定値との間の相関を求め、相関の値が予め定められた閾値以上であればそれまでに受信した既知シンボルの数により前記アンテナの数を推定する。【選択図】      図４
2006101035.tif 000002
【特許請求の範囲】
【請求項１】
複数のアンテナと、
既知情報を伝送するサブキャリア配置がそれぞれ異なる時間的に連続する複数の既知シンボルをそれぞれ含み、各既知シンボルは、時間的に隣接する既知シンボルとの間で、既知情報を伝送するサブキャリアが互いに隣接するサブキャリア配置を有する複数の既知シンボル列を前記複数のアンテナを用いて送信する既知シンボル送信手段と、
前記既知シンボル列の送信後に前記複数のアンテナを用いてデータシンボルを送信するデータシンボル送信手段と、
を具備したことを特徴とする無線通信装置。
【請求項２】
前記複数の既知シンボル列は、異なるアンテナから同時に送信される既知シンボル間で前記既知情報を伝送するサブキャリアの位置が互いに異なるサブキャリア配置を有することを特徴とする請求項１記載の無線通信装置。
【請求項３】
同一のアンテナから送信される既知シンボル列の時間的に隣接する２つの既知シンボルのうち、後に送信される既知シンボルの既知情報を伝送する各サブキャリアは、先に送信される既知シンボルの既知情報を伝送する各サブキャリアに隣接する、周波数の高い方のサブキャリアであることを特徴とする請求項１記載の無線通信装置。
【請求項４】
同一のアンテナから送信される既知シンボル列の時間的に隣接する２つの既知シンボルのうち、後に送信される既知シンボルの既知情報を伝送する各サブキャリアは、先に送信される既知シンボルの既知情報を伝送する各サブキャリアに隣接する、周波数の低い方のサブキャリアであることを特徴とする請求項１記載の無線通信装置。
【請求項５】
前記既知シンボル送信手段は、
既知情報を伝送するサブキャリア配置の異なる複数の既知シンボルパターンを格納した記憶手段と、前記既知シンボルの送信されるべきタイミングを示すタイミング信号を発生するタイミング発生器と、前記タイミング信号に従って前記複数の既知シンボルパターンから前記既知シンボルとして用いられるパターンを選択するセレクタとを有する請求項１記載の無線通信装置。
【請求項６】
複数のアンテナによって送信される、既知情報を伝送するサブキャリア配置がそれぞれ異なる時間的に連続する複数の既知シンボルをそれぞれ含み、各既知シンボルは、時間的に隣接する既知シンボルとの間で、既知情報を伝送するサブキャリアが互いに隣接するサブキャリア配置を有する複数の既知シンボル列及び該既知シンボル列より後のデータシンボルを受信する受信手段と、
受信した既知シンボル列の各既知シンボルからサブキャリア毎の伝送路特性推定値を求める手段と、
受信した既知シンボル列の各既知シンボルについて、当該既知シンボルから求めた伝送路特性推定値と１番目に受信した既知シンボルから求めた伝送路特性推定値との間の相関を求め、前記相関の値が予め定められた閾値以上であればそれまでに受信した既知シンボルの数により前記アンテナの数を推定するアンテナ数推定手段と、
推定したアンテナの数と前記伝送路推定値を用いて前記データシンボルを再生する手段と、
を具備したことを特徴とする無線通信装置。
【請求項７】
前記アンテナ数推定手段は、
受信した既知シンボル列の各既知シンボルのサブキャリア毎の各伝送路特性推定値と、前記１番目に受信した既知シンボルの当該サブキャリアに隣接するサブキャリアの伝送路特性推定値との間の相関を求めること特徴とする請求項６記載の無線通信装置。
【請求項８】
前記アンテナ数推定手段は、
受信した既知シンボル列の各既知シンボルのサブキャリア毎の各伝送路特性推定値と、前記１番目に受信した既知シンボルの当該サブキャリアに隣接する、周波数の高い方のサブキャリアの伝送路特性推定値との間の相関を求めることを特徴とする請求項７記載の無線通信装置。
【請求項９】
前記アンテナ数推定手段は、
受信した既知シンボル列の各既知シンボルのサブキャリア毎の各伝送路特性推定値と、前記１番目に受信した既知シンボルの当該サブキャリアに隣接する、周波数の低い方のサブキャリアの伝送路特性推定値との間の相関を求めることを特徴とする請求項７記載の無線通信装置。
【発明の詳細な説明】
【技術分野】
【０００１】
本発明は、複数のアンテナおよび複数のサブキャリアを用いて通信を行うＭＩＭＯ−ＯＦＤＭに属し、さらに高速無線ＬＡＮの技術に属する。
【背景技術】
【０００２】
従来の無線ＬＡＮ、例えばＩＥＥＥ８０２．１１ａにおいては、データ信号の前に既知シンボル（ショートプリアンブル及びロングプリアンブル）を送信して同期処理や伝送路推定を行っている。これらのプリアンブルを用いることで、後続するシグナル部分やデータ部分の復調を行うことができる。
【０００３】
一方、ＩＥＥＥ８０２．１１ｎという高速無線ＬＡＮ規格の制定が進められている。ＩＥＥＥ８０２．１１ｎでは、ＭＡＣ層で１００Ｍｂｐｓという伝送速度を達成するために、複数のアンテナを用いるＭＩＭＯ（Ｍｕｌｔｉ−Ｉｎｐｕｔ  Ｍｕｌｔｉ−Ｏｕｔｐｕｔ）が前提とされている。ＭＩＭＯ技術では、受信側で送信信号系列を復調するために、送信されたプリアンブル信号を用いて各受信アンテナまでの伝送路応答を推定する必要があるが、さらに送信側の送信アンテナ数も別途推定する必要がある。この送信アンテナ数の推定に失敗すると、後続のデータ部分の復調が不可能となるため、推定にはかなりの精度が要求されている。
【０００４】
受信側で送信アンテナ数を知る方法として、送信側で送信アンテナ数を通知する信号を送信する方式も考えられるが、この方法だとオーバヘッドの増加し、データ伝送のスループット低下が否めない。
【０００５】
また、受信したプリアンブル信号を用いて送信アンテナ数を推定する方式も考えられるが、非特許文献１のプリアンブル信号は送信アンテナ数を推定することを前提としているものではなく、このプリアンブル信号を用いて送信アンテナ数を推定することは困難である。
【非特許文献１】Jan Boer他２名“Backwards compatibility”、［online］、平成１５年９月、IEEE LMSC（発行元）、［平成１５年9月１５日検索］、インターネット＜URL:ftp://ieee:wireless@ftp.802wirelessworld.com/11/03/11-03-0714-00-000n-backwards-compatibility.ppt＞
【発明の開示】
【発明が解決しようとする課題】
【０００６】
このようにＭＩＭＯシステムでは、送信アンテナ数の推定に失敗すると、後続のデータ部分の復調が不可能となるため、推定にはかなりの精度が要求されている。一方、送信側で送信アンテナ数を通知する信号を送信する方式ではオーバヘッドの増加が否めないという問題があった。また、非特許文献１のプリアンブル信号を用いて送信アンテナ数を推定することは困難であるという問題があった。
【０００７】
そこで、本発明は上記問題点に鑑み、送信側で送信アンテナ数を通知する信号を付加することなく、送信に使用されたアンテナの数を受信側で容易に推定可能としてデータシンボルの正しい復調を可能とすることにある。
【課題を解決するための手段】
【０００８】
（１）本発明の無線通信装置（送信機）は、複数のアンテナと、既知情報を伝送するサブキャリア配置がそれぞれ異なる時間的に連続する複数の既知シンボルをそれぞれ含み、各既知シンボルは、時間的に隣接する既知シンボルとの間で、既知情報を伝送するサブキャリアが互いに隣接するサブキャリア配置を有する複数の既知シンボル列を前記複数のアンテナを用いて送信する既知シンボル送信手段と、前記既知シンボル列の送信後に前記複数のアンテナを用いてデータシンボルを送信するデータシンボル送信手段とを有する。
【０００９】
前記複数の既知シンボル列は、異なるアンテナから同時に送信される既知シンボル間で前記既知情報を伝送するサブキャリアの位置が互いに異なるサブキャリア配置を有する。
【００１０】
（２）本発明の無線通信装置（受信機）は、複数のアンテナによって送信される、既知情報を伝送するサブキャリア配置がそれぞれ異なる時間的に連続する複数の既知シンボルをそれぞれ含み、各既知シンボルは、時間的に隣接する既知シンボルとの間で、既知情報を伝送するサブキャリアが互いに隣接するサブキャリア配置を有する複数の既知シンボル列及び該既知シンボル列より後のデータシンボルを受信する受信手段と、受信した既知シンボル列の各既知シンボルからサブキャリア毎の伝送路特性推定値を求める手段と、受信した既知シンボル列の各既知シンボルについて、当該既知シンボルから求めた伝送路特性推定値と１番目に受信した既知シンボルから求めた伝送路特性推定値との間の相関を求め、前記相関の値が予め定められた閾値以上であればそれまでに受信した既知シンボルの数により前記アンテナの数を推定するアンテナ数推定手段と、推定したアンテナの数と前記伝送路推定値を用いて前記データシンボルを再生する手段とを有する。
【００１１】
前記アンテナ数推定手段は、受信した既知シンボル列の各既知シンボルのサブキャリア毎の各伝送路特性推定値と、前記１番目に受信した既知シンボルの当該サブキャリアに隣接するサブキャリアの伝送路特性推定値との間の相関を求める。
【発明の効果】
【００１２】
本発明によれば、送信に使用されたアンテナの数を受信側で容易に推定できる。
【発明を実施するための最良の形態】
【００１３】
以下、本発明の実施形態について図面を参照して説明する。
【００１４】
（第１の実施形態）  
図１は、第１の実施形態に係る送信機の構成例を示したものである。図１に示す構成は送信機の物理層であり、ここに上位層から送信すべきデータ系列（ビット列）１０がある送信単位（例えば、フレームもしくはパケット）毎に入力される。
【００１５】
入力されるデータ系列１０は、符号化器１１により例えば誤り訂正符号化が施され、符号化ビット系列が生成される。符号化ビット系列は、直並列変換器（Ｓ／Ｐ）１２によって直並列変換されることにより、複数のストリームに分割される。各ストリームは変調器１３−１〜１３Ｍによって複素平面上にマッピングされ、変調されたデータシンボルが生成される。
【００１６】
変調されたデータシンボルは、ＯＦＤＭ（直交周波数分割多重）の各サブキャリアに乗せて伝送されるように、直並列変換器（Ｓ／Ｐ）１４−１〜１４Ｍによって直並列変換され、さらに逆高速フーリエ変換（ＩＦＦＴ）ユニット１８−１〜１８−Ｍにより周波数軸上の信号から時間波形に変換される。時間波形に変換されたＩＦＦＴユニット１８−１〜１８−Ｍからの出力信号は、送信回路１９に入力される。
【００１７】
送信回路１９において、ＩＦＦＴユニット１８−１〜１８−Ｍの出力信号はガードインターバル（ＧＩ）が付加された後、Ｄ／Ａ変換器によってアナログ信号に変換される。Ｄ／Ａ変換器の出力信号は、周波数変換器によってＲＦ（高周波）帯に周波数変換（アップコンバート）され、電力増幅器を介して送信アンテナ２０−１〜２０−Ｍに供給されることにより、送信アンテナ２０−１〜２０−Ｍから通信相手の無線通信装置へＯＦＤＭ信号が送信される。
【００１８】
このようにしてデータシンボルがＯＦＤＭ信号として送信される前に、プリアンブルが送信される。以下、プリアンブルの特に伝送路推定用の既知シンボルの送信系について説明する。
【００１９】
既知シンボルパターン発生器１５は例えばＲＯＭであり、複数の既知シンボルパターンを格納している。既知シンボルは、それぞれＯＦＤＭの予め割り当てられた複数のサブキャリアの幾つかに情報が乗せられて送信される。既知シンボルパターンとは、既知シンボルの情報（既知情報）をどのサブキャリアに乗せるかを示すパターンである。既知シンボルパターン発生器１５には、既知情報を伝送するサブキャリア配置の異なる複数の既知シンボルパターンが記憶されている。図１の例では、ＲＯＭに周波数軸上の既知シンボルパターンが格納されている。
【００２０】
既知シンボルの送信時には、既知シンボルパターン発生器１５のＲＯＭに格納された複数の既知シンボルパターンがカウンタ１６からの信号に従って、既知シンボルが送信されるべきタイミングで順次読み出される。カウンタ１６は時間測定用であり、時々刻々と変化するカウント値を出力し、既知シンボルの送信されるべきタイミングを示すタイミング信号を発生する。読み出された既知シンボルパターンはセレクタ１７を介してＩＦＦＴユニット１８−１〜１８−Ｍに入力され、時間波形に変換された後、送信回路１９に導かれる。ＲＯＭに時間波形の既知パターンが格納されている場合は、読み出された既知シンボルはＩＦＦＴユニット１８−１〜１８−Ｍをバイパスして送信回路１９に導かれる。
【００２１】
既知シンボルは、１つのアンテナ当たり複数回にわたって送信される。セレクタ１７は、複数回送信される既知シンボルの送信順番に合わせて、既知シンボル発生器１５のＲＯＭから読み出された既知シンボルパターンを適切な送信アンテナから送信されるように振り分ける操作を行う。すなわち、セレクタ１７はカウンタ１６からの時刻情報を示すカウント値に従って、既知シンボルパターンを各送信アンテナ２０−１〜２０−Ｍに振り分ける。
【００２２】
なお、無線ＬＡＮのプリアンブルに含まれるショートプリアンブルとロングプリアンブルのように複数種類の既知シンボルが存在する場合、カウンタ１６及びセレクタ１７はこれら複数種類の既知シンボルパターンをＲＯＭから切り替えて読み出す。
【００２３】
次に、図２を参照して伝送路推定用の既知シンボルの送信方法を詳しく説明する。図２（ａ）（ｂ）（ｃ）は、既知シンボルを同時に送信するアンテナの数が「１」の場合、「２」の場合及び「３」の場合のプリアンブルを含む無線フレームの構造を示している。第１の実施形態においては、無線ＬＡＮのようにデータＤＡＴＡに先立って同期用のショートプリアンブルＳＰ、伝送路推定用のロングプリアンブルＬＰを送信するシステムを仮定している。
【００２４】
ここで、ショートプリアンブルＳＰの構成は特に限定されるものではなく、例えばＩＥＥＥ８０２．１１ａと同様のものを複数の送信アンテナから送信してもよい。既知シンボルは、ＭＩＭＯ通信の際に伝送路応答の推定に用いられ、無線ＬＡＮでは図２（ａ）（ｂ）（ｃ）中のロングプリアンブルＬＰに相当する。
【００２５】
図２（ａ）（ｂ）（ｃ）においては、各送信アンテナから送信されるロングプリアンブルＬＰが周波数分割多重されている。ここで、送信アンテナの数をＭ、ＯＦＤＭのサブキャリアの数をＮとし、Ｎ個のサブキャリアの番号ｎを０番目からＮ−１番目（ｎ＝０〜Ｎ−１）と定義する。Ｎ／Ｍが余りなく割り切れるとした場合、次式（１）で求まる番号のサブキャリアに既知シンボルの情報（既知情報）が存在し、それ以外の番号のサブキャリアには既知情報が存在しないものとする。
【００２６】
Ｍｋ＋ｍ＋ｉ−２  ｍｏｄ  Ｎ                        …（１）
ここで、ｍ＝１，２，…，Ｍはアンテナ番号、ｉ＝１，２，３，…は既知シンボルの時間方向における番号であり、またｋ＝０，１，…，（Ｎ／Ｍ−１）である。
【００２７】
例えば、図２（ａ）（ｂ）（ｃ）の例では、サブキャリア数が「１２」（Ｎ＝１２）である場合を仮定している。
【００２８】
図２（ａ）（アンテナ数が「１」（Ｍ＝１））の場合、式（１）よりアンテナ１（ｉ＝１）から送信される１つの既知シンボルにおいて既知情報が存在するサブキャリアの位置は以下の通りとなる。
【００２９】
アンテナ１：１番目の既知シンボル：｛０，１，２，３，４，５，６，７，８，９，１０，１１｝番目のサブキャリア；
アンテナ数が「１」の場合、全てのサブキャリアで既知情報が伝送されるサブキャリア配置となる。
【００３０】
図２（ｂ）（アンテナ数が「２」（Ｍ＝２））の場合、式（１）より各アンテナ１（ｉ＝１）、２（ｉ＝２）からそれぞれ送信される２つの既知シンボルにおいて既知情報が存在するサブキャリアの位置は以下の通りとなる。
【００３１】
アンテナ１：１番目の既知シンボル：｛０，２，４，６，８，１０｝番目のサブキャリア；
アンテナ１：２番目の既知シンボル：｛１，３，５，７，９，１１｝番目のサブキャリア；
アンテナ２：１番目の既知シンボル：｛１，３，５，７，９，１１｝番目のサブキャリア；
アンテナ２：２番目の既知シンボル：｛０，２，４，６，８，１０｝番目のサブキャリア。
【００３２】
アンテナ数が「２」の場合、各アンテナから時間的に連続して送信される２つの既知シンボルでは、２番目の既知シンボルの既知情報を伝送する各サブキャリアは、１番目の既知シンボルの既知情報を伝送するサブキャリアに隣接する周波数の高い方のサブキャリアであり、１番目と２番目の既知シンボル間では、各既知シンボルは、当該２つの既知シンボル間で既知情報を伝送するサブキャリアが互いに隣接するサブキャリア配置を有している。
【００３３】
図２（ｃ）（アンテナ数が「３」（Ｍ＝３））の場合、式（１）より各アンテナ１（ｉ＝１）、２（ｉ＝２）、３（ｉ＝３）からそれぞれ送信される３つの既知シンボルにおいて既知情報が存在するサブキャリアの位置は以下の通りとなる。
【００３４】
アンテナ１：１番目の既知シンボル：｛０，３，６，９｝番目のサブキャリア；
アンテナ１：２番目の既知シンボル：｛１，４，７，１０｝番目のサブキャリア；
アンテナ１：３番目の既知シンボル：｛２，５，８，１１｝番目のサブキャリア；
アンテナ２：１番目の既知シンボル：｛１，４，７，１０｝番目のサブキャリア；
アンテナ２：２番目の既知シンボル：｛２，５，８，１１｝番目のサブキャリア；
アンテナ２：３番目の既知シンボル：｛０，３，６，９｝番目のサブキャリア；
アンテナ３：１番目の既知シンボル：｛２，５，８，１１｝番目のサブキャリア；
アンテナ３：２番目の既知シンボル：｛０，３，６，９｝番目のサブキャリア；
アンテナ３：３番目の既知シンボル：｛１，４，７，１０｝番目のサブキャリア。
【００３５】
アンテナ数が「３」の場合、各アンテナから時間的に連続して送信される３つの既知シンボルでは、２番目の既知シンボルの既知情報を伝送する各サブキャリアは、１番目の既知シンボルの既知情報を伝送するサブキャリアに隣接する周波数の高い方のサブキャリアであり、３番目の既知シンボルの既知情報を伝送する各サブキャリアは、２番目の既知シンボルの既知情報を伝送するサブキャリアに隣接する周波数の高い方のサブキャリアである。このように、１番目と２番目の既知シンボル間では、各既知シンボルは、当該２つの既知シンボル間で既知情報を伝送するサブキャリアが互いに隣接するようなサブキャリア配置となっており、２番目と３番目の既知シンボル間でも、各既知シンボルは、当該２つの既知シンボル間で既知情報を伝送するサブキャリアが互いに隣接するようなサブキャリア配置となっている。
【００３６】
アンテナ数が「４」以上の場合も、各アンテナからそれぞれ送信される既知シンボルにおいて情報が存在するサブキャリアの位置は、上記の類推から明らかである。
【００３７】
なお、図２（ａ）（ｂ）（ｃ）においては、プリアンブルの構造は時間的に表されているが、便宜上、ロングプリアンブルＬＰについては、情報が存在するサブキャリアを斜線で表している。
【００３８】
次に、図３を参照して第１の実施形態に係る受信機について説明する。図３は、受信機の構成例を示したものである。
【００３９】
図１の送信機から送信されるＲＦ（Radio Frequency）帯のＯＦＤＭ信号は複数の受信アンテナ３０−１〜３０−Ｍにより受信される。受信アンテナ３０−１〜３０−ＭからのＯＦＤＭ受信信号は、受信回路３１に入力される。受信回路３１において、受信アンテナ３０−１〜３０−Ｍから入力されるＯＦＤＭ信号は、それぞれ低雑音増幅器（ＬＮＡ）により増幅された後、周波数変換器によりベースバンド帯に周波数変換（ダウンコンバート）され、さらにＡ／Ｄ変換器によってディジタル信号に変換され、さらにガードインターバル（ＧＩ）が除去される。受信回路３１からの出力信号は、高速フーリエ変換（ＦＦＴ）ユニット３２−１〜３２−Ｍに入力されることにより、時間波形の信号が周波数波形の信号、すなわちサブキャリアごとの波形に変換される。
【００４０】
ＦＦＴユニット３２−１〜３２−Ｍからの出力信号のうち、データシンボルの区間の信号はＭＩＭＯ信号処理器４１に入力される。一方、ＦＦＴユニット３２−１〜３２−Ｍからの出力信号のうち、プリアンブル、特に既知シンボルの区間の信号は除算器３３−１〜３３−Ｍに入力される。
【００４１】
既知シンボルパターン発生器３４は図１記載の既知シンボルパターン発生器１５に格納されている複数の既知シンボルパターンと同一の複数の既知シンボルパターンを格納している。シンボルパターン発生器３４は既知シンボルの受信時には、カウンタ３５からの信号に従って、受信した既知シンボルに対応する既知シンボルパターンを順次読み出す。ここでカウンタ３５は受信した既知シンボルの数を測定するものであり、既知シンボルが受信されるたびに、カウンタの数値を１つずつインクリメントする。
【００４２】
読み出された既知シンボルパターンは除算器３３−１〜３３−Ｍにそれぞれ出力される。除算器３３−１〜３３−Ｍに入力された既知シンボルのサブキャリアごとの波形をシンボルパターン発生器３４から出力された既知シンボルパターンの各既知情報の波形で除算することでサブキャリアごとの伝送路特性の推定値（伝送路特性値）を得、メモリ３９−１〜３９−Ｍへ格納されるとともに、相関器３８−１〜３８−Ｍへ入力される。
【００４３】
除算器３３−１〜３３−Ｍに入力された既知シンボルが一番はじめに入力された１番目の既知シンボルの場合（つまり、カウンタ３５の値が「１」の場合）、伝送路特性値は、さらにシフト回路３６−１〜３６−Ｍに入力される。シフト回路３６−１〜３６−Ｍに入力された１番目の既知シンボルのサブキャリア毎の伝送路特性値は、当該サブキャリアに隣接するサブキャリアのうち周波数の低い方のサブキャリアに対応する伝送路特性値となるように、−１周波数シフトされ、メモリ３７−１〜３７−Ｍに格納される。
【００４４】
相関器３８−１〜３８−Ｍでは、除算器３３−１〜３３−Ｍで推定された既知シンボルのサブキャリア毎の伝送路特性値と、メモリ３７−１〜３７−Ｍに格納された１番目の既知シンボルから推定したサブキャリア毎の伝送路特性値を−１周波数シフトした結果との相関値を計算し、その相関値を判定器４０に入力する。
【００４５】
判定器４０では、入力された相関値があらかじめ設定しておいた閾値より小さい（あるいは閾値以下の）場合は、カウンタ３５を１つインクリメントし、次の既知シンボルの受信を行う。一方、入力された相関値が閾値以上の（あるいは閾値より大きい）場合は、現在のカウンタ値を送信アンテナ数の推定値として、ＭＩＭＯ信号処理器４１に出力する。
【００４６】
なお、以上の送信アンテナ数推定のアルゴリズムについては、詳細な説明を後述する。
【００４７】
ＭＩＭＯ信号処理器４１では、ＦＦＴユニット３２−１〜３２−Ｍからのデータシンボル区間の信号に対して、メモリ３９−１〜３９−Ｍに格納された各既知シンボルのサブキャリア毎の伝送路特性値と、カウンタ３５のカウンタ値を送信アンテナ数の推定値として用いることで、例えば最尤推定のようなＭＩＭＯ信号受信処理がなされる。ＭＩＭＯ信号受信処理後の信号に対してチャネル復号が行われ、これによって送信されてきたデータ４２が再生される。
【００４８】
ここで、同一のアンテナから送信された隣接するサブキャリア間では伝送路の影響はほぼ同じ、すなわち、同一アンテナから送信される隣接するサブキャリアの伝送路特性は高い正の相関値を持つとする。また、伝送路の時間変動は緩やかであり、時間的に隣接するシンボル間で伝送路はほぼ同じであると考える。さらに、異なるアンテナから送信されたサブキャリア間での伝送路特性は比較的低い相関を持つと考える。このときj番目の受信アンテナの除算器（除算器３３−jとする）がi番目に受信した既知シンボルのn番目のサブキャリア信号を用いて推定した伝送路特性値（除算器３３−ｊの出力信号）をＨｊ（ｉ，ｎ）とすると、以下のような伝送路特性Ｈｊ（ｉ，ｎ）が求まることが予想される。
【００４９】
＜送信アンテナ数「１」の場合＞
すべてのサブキャリアは同一のアンテナから送信されているので、偶数番目（ｎ番目とする）のサブキャリアの伝送路特性値Ｈｊ（１，ｎ）とその次の番号の隣接サブキャリアの伝搬路特性値Ｈｊ（１，ｎ＋１）は高い正の相関を持つ。
【００５０】
＜送信アンテナ数「２」の場合＞
最初に受信する既知シンボル（ｉ＝１）では、偶数番目（ｎ番目とする）のサブキャリアとその次の番号の隣接サブキャリア（ｎ＋１番目）は、それぞれ異なるアンテナから送信されているため、Ｈｊ（１，ｎ）とＨｊ（１，ｎ＋１）は比較的低い相関を持つと考えられる。
【００５１】
２番目に受信する既知シンボル（ｉ＝２）では、偶数番目（ｎ番目とする）のサブキャリアと最初に受信した既知シンボル（ｉ＝１）の隣接サブキャリア（ｎ＋１番目）は、同一アンテナから送信されており、かつ、隣接サブキャリアであるため、Ｈｊ（２，ｎ）とＨｊ（１，ｎ＋１）は高い正の相関値を持つ。
【００５２】
＜送信アンテナ数「３」の場合＞  
最初に受信する既知シンボル（ｉ＝１）では、偶数番目（ｎ番目とする）のサブキャリアとその次の番号の隣接サブキャリア（ｎ＋１番目）は、それぞれ異なるアンテナから送信されているため、Ｈｊ（１，ｎ）とＨｊ（１，ｎ＋１）は比較的低い相関を持つと考えられる。
【００５３】
２番目に受信する既知シンボル（ｉ＝２）では，偶数番目（ｎ番目とする）のサブキャリアと最初に受信した既知シンボル（ｉ＝１）の隣接サブキャリア（ｎ＋１番目）は、それぞれ異なるアンテナから送信されているため、Ｈｊ（２，ｎ）とＨｊ（１，ｎ＋１）は比較的低い相関を持つと考えられる。
【００５４】
３番目に受信する既知シンボル（ｉ＝３）では、偶数番目（ｎ番目とする）のサブキャリアと最初に受信した既知シンボル（ｉ＝１）の隣接サブキャリア（ｎ＋１番目）は、同一アンテナから送信されており、かつ、隣接サブキャリアであるため、Ｈｊ（３，ｎ）とＨｊ（１，ｎ＋１）は高い正の相関値を持つ。
【００５５】
以上のことからわかるように、送信アンテナ数がＭであれば、Ｍ番目に受信する既知シンボルから推定したサブキャリアの伝送路特性と最初に受信した既知シンボルから推定したサブキャリアの伝送路特性値の−１周波数シフトの特性とは高い相関値を持つため、その高い正の相関値を検出することで、アンテナ数を推定することが可能である。
【００５６】
以下、図４を用いて図３の受信機における送信アンテナ数推定手順のアルゴリズムについて説明する。まず、カウンタ３５に初期値として「１」を設定した後（ステップＳ１０１）、j番目アンテナで受信した既知シンボルの周波数波形を除算器３３−ｊに入力する（ステップＳ１０２〜ステップＳ１０３）。除算器３３−ｊに入力されたサブキャリアごとの波形は既知シンボルパターンで除算することで伝送路特性値が得られる。
【００５７】
ｊ番目の受信アンテナにおいてｉ（ｉ＝１，２，３…）番目に受信した既知シンボルの各サブキャリア（ｎ＝０〜Ｎ−１）の伝送路特性値、すなわち、除算器出力をＨｊ（ｉ，ｎ）とする。１番目（ｉ＝１）に受信した既知シンボルの各サブキャリアの伝送路特性値は、Ｈｊ（１，ｎ）と表せるから、その−１周波数シフトした特性は、Ｈｊ（１，ｎ＋１）と表すことができる。受信された各既知シンボルの伝送路特性Ｈｊ（ｉ，ｎ）と、１番目の既知シンボルから得られた特性Ｈｊ（１，ｎ＋１）との相関値を相関器３８−ｊにより求める（ステップＳ１０４）。この相関演算はｉ番目の既知シンボル受信時において以下のように定義される。
【００５８】
（相関値）＝Ｈｊ（ｉ，０）＊Ｈｊ（１，１）＋Ｈｊ（ｉ，１）＊Ｈｊ（１，２）＋Ｈｊ（ｉ，２）＊Ｈｊ（１，３）＋…＋Ｈｊ（ｉ，Ｎ−２）＊Ｈｊ（１，Ｎ−１）
但し、ａ＊ｂはｂの複素共役をａに乗算する演算である。
【００５９】
判定器４０では、相関器３８−ｊにより計算された相関値を判定し、これがあらかじめ定められた閾値より大きい（あるいは閾値以上の）場合（ステップＳ１０５）、現在受信したシンボルが既知シンボルの最後（終端）であると判断して、カウンタ３５で求まるこれまでに受信した既知シンボルのパターン数を送信アンテナ数と推定する。ここでは、既知シンボル数は送信アンテナ数に等しいため、このカウンタ３５の値が送信アンテナの推定値となる（ステップＳ１０６）。
【００６０】
ＭＩＭＯ信号処理器４１は、こうして推定された送信アンテナ数を用いてデータシンボルの再生を行う。ステップＳ１０５において、相関の値が閾値以下の（あるいは閾値より小さい）場合、次の既知シンボルを受信したうえで（ステップＳ１０７）、カウンタ３５を１つインクリメントして（ステップＳ１０８）、ステップＳ１０３へ戻り、新たな既知シンボルから上記同様にして伝送路特性値を推定し（ステップＳ１０３）、１番目に受信した既知シンボルを用いて推定した伝送路特性値の−１周波数シフトした特性Ｈ１（ｎ＋１）との相関を計算する（ステップＳ１０４）。以下、既知信号を受信する毎にステップＳ１０３〜Ｓ１０８の動作を繰り返す。
【００６１】
受信アンテナが複数である場合、以下のような方式も考えられる。
【００６２】
（ａ）全ての受信アンテナについて相関値が閾値以上の（あるいは閾値より大きい）値になった場合のみ、既知シンボルの終端とみなして送信アンテナ数を決定する。
【００６３】
（ｂ）全ての受信アンテナから算出された相関値を加算平均し、その合計の相関値が閾値以上になった場合に、既知シンボルの終端とみなして送信アンテナ数を決定する。
【００６４】
上記（ａ）の方が条件が厳しいが、条件が一致した場合には確実に送信アンテナ数を検出することができる。
【００６５】
以上述べたように、第１の実施形態によれば、送信側で送信アンテナ数を通知することなく、既知シンボルを用いてアンテナ毎の伝送路推定を行いながら、送信アンテナ数をブラインド処理で推定することが可能である。
【００６６】
（第２の実施形態）  
第２の実施形態に係る送信機の構成は、図１と同様である。異なるのは、既知シンボルパターンである。以下、第２の実施形態について、第１の実施形態と異なる部分を中心に説明する。
【００６７】
まず、図５を用いて第２の実施形態に関する伝送路推定用の既知シンボルの送信方法を詳しく説明する。図５（ａ）（ｂ）（ｃ）は、既知シンボルを同時に送信するアンテナの数が「１」の場合、「２」の場合及び「３」の場合のプリアンブルを含む無線フレームの構造を示しており、図５（ｃ）以外は図２と同一の構成となっている。ここで、送信アンテナの数をＭ、ＯＦＤＭのサブキャリアの数をＮとし、Ｎ／Ｍが余りなく割り切れるとした場合、式（２）のサブキャリア（Ｎ個のサブキャリアの番号を０番目からＮ−１番目と定義する）に既知シンボルの情報が存在し、他のサブキャリアには既知情報が存在しないものとする。
【００６８】
Ｍｋ＋ｍ−ｉ＋Ｎ  ｍｏｄ  Ｎ                        …（２）
例えば、図５（ａ）（ｂ）（ｃ）の例では、サブキャリア数が「１２」（Ｎ＝１２）である場合を仮定している。
【００６９】
図５（ａ）（アンテナ数が「１」（Ｍ＝１））の場合、式（１）よりアンテナ１から送信される１つの既知シンボルにおいて情報が存在するサブキャリアの位置は以下の通りとなる。
【００７０】
アンテナ１：１番目の既知シンボル：｛０，１，２，３，４，５，６，７，８，９，１０，１１｝番目のサブキャリア；
アンテナ数が「１」の場合、全てのサブキャリアで既知情報が伝送されるサブキャリア配置となる。
【００７１】
図５（ｂ）（アンテナ数が「２」（Ｍ＝２））の場合、式（１）より各アンテナ１，２からそれぞれ送信される２つの既知シンボルにおいて既知情報が存在するサブキャリアの位置は以下の通りとなる。
【００７２】
アンテナ１：１番目の既知シンボル：｛０，２，４，６，８，１０｝番目のサブキャリア；
アンテナ１：２番目の既知シンボル：｛１，３，５，７，９，１１｝番目のサブキャリア；
アンテナ２：１番目の既知シンボル：｛１，３，５，７，９，１１｝番目のサブキャリア；
アンテナ２：２番目の既知シンボル：｛０，２，４，６，８，１０｝番目のサブキャリア。
【００７３】
アンテナ数が「２」の場合、各アンテナから時間的に連続して送信される２つの既知シンボルでは、２番目の既知シンボルの既知情報を伝送する各サブキャリアは、１番目の既知シンボルの既知情報を伝送するサブキャリアに隣接する、周波数の低い方のサブキャリアであり、１番目と２番目の既知シンボル間では、各既知シンボルは、当該２つの既知シンボル間で既知情報を伝送するサブキャリアが互いに隣接するサブキャリア配置を有している。
【００７４】
図５（ｃ）（アンテナ数が「３」（Ｍ＝３））の場合、式（１）より各アンテナ１，２，３からそれぞれ送信される３つの既知シンボルにおいて既知情報が存在するサブキャリアの位置は以下の通りとなる。
【００７５】
アンテナ１：１番目の既知シンボル：｛０，３，６，９｝番目のサブキャリア；
アンテナ１：２番目の既知シンボル：｛２，５，８，１１｝番目のサブキャリア；
アンテナ１：３番目の既知シンボル：｛１，４，７，１０｝番目のサブキャリア；
アンテナ２：１番目の既知シンボル：｛１，４，７，１０｝番目のサブキャリア；
アンテナ２：２番目の既知シンボル：｛０，３，６，９｝番目のサブキャリア；
アンテナ２：３番目の既知シンボル：｛２，５，８，１１｝番目のサブキャリア；
アンテナ３：１番目の既知シンボル：｛２，５，８，１１｝番目のサブキャリア；
アンテナ３：２番目の既知シンボル：｛１，４，７，１０｝番目のサブキャリア；
アンテナ３：３番目の既知シンボル：｛０，３，６，９｝番目のサブキャリア。
【００７６】
アンテナ数が「３」の場合、各アンテナから時間的に連続して送信される３つの既知シンボルでは、２番目の既知シンボルの既知情報を伝送する各サブキャリアは、１番目の既知シンボルの既知情報を伝送するサブキャリアに隣接する、周波数の低い方のサブキャリアであり、３番目の既知シンボルの既知情報を伝送する各サブキャリアは、２番目の既知シンボルの既知情報を伝送するサブキャリアに隣接する、周波数の低い方のサブキャリアである。このように、１番目と２番目の既知シンボル間では、各既知シンボルは、当該２つの既知シンボル間で既知情報を伝送するサブキャリアが互いに隣接するようなサブキャリア配置となっており、２番目と３番目の既知シンボル間でも、各既知シンボルは、当該２つの既知シンボル間で既知情報を伝送するサブキャリアが互いに隣接するようなサブキャリア配置となっている。
【００７７】
アンテナ数が「４」以上の場合も、各アンテナからそれぞれ送信される既知シンボルにおいて情報が存在するサブキャリアの位置は、上記の類推から明らかである。
【００７８】
第２の実施形態に係る受信機の構成は図３と同様であるが、その処理動作が第１の実施形態の場合と異なる。ここでは、第１の実施形態と異なる部分を中心に第２の実施形態に係る受信機の処理動作について説明する。
【００７９】
第１の実施形態と同様、アンテナ３０−１〜３０−Ｍで受信されたＯＦＤＭ信号は、受信回路３１、高速フーリエ変換（ＦＦＴ）ユニット３２−１〜３２−Ｍを経て、サブキャリアごとの波形に変換される。ＦＦＴユニット３２−１〜３２−Ｍからの出力信号のうち、データシンボルの区間の信号はＭＩＭＯ信号処理器４１に入力され、プリアンブル、特に既知シンボルの区間の信号は除算器３３−１〜３３−Ｍに入力される。除算器３３−１〜３３−Ｍでは、入力された既知シンボルのサブキャリアごとの波形をシンボルパターン発生器３４から出力された既知シンボルパターンで除算することで伝送路特性値を得、当該伝送路特性値は、メモリ３９−１〜３９−Ｍへ格納されるとともに、相関器３８−１〜３８−Ｍへ入力される。
【００８０】
除算器３３−１〜３３−Ｍに入力された既知シンボルが一番はじめに入力された既知シンボルの場合は（つまり、カウンタ３５の値が「１」の場合）、伝送路特性値は、さらに、シフト回路３６−１〜３６−Ｍに入力される。シフト回路３６−１〜３６−Ｍに入力された１番目の既知シンボルのサブキャリア毎の伝送路特性値は、当該サブキャリアに隣接するサブキャリアのうち周波数の高い方のサブキャリアに対応する伝送路特性値となるように、＋１周波数シフトされ、メモリ３７−１〜３７−Ｍに格納される。
【００８１】
相関器３８−１〜３８−Ｍでは除算器３３−１〜３３−Ｍで推定された既知シンボルのサブキャリア毎の伝送路特性値とメモリ３７−１〜３７−Ｍに格納された１番目の既知シンボルから推定したサブキャリア毎の伝送路特性値を＋１周波数シフトした結果との相関値を計算し、その相関値を判定器４０に入力する。
【００８２】
判定器４０では、入力された相関値があらかじめ設定しておいた閾値より小さい（あるいは閾値以下の）場合は、カウンタ３５を１つインクリメントし、次の既知シンボルの受信を行う。一方、入力された相関値が閾値以上の（あるいは閾値より大きい）場合は、現在のカウンタ値を送信アンテナ数の推定値として、ＭＩＭＯ信号処理器４１に出力する。
【００８３】
なお、以上の送信アンテナ数推定のアルゴリズムについては、詳細な説明を後述する。
【００８４】
ＭＩＭＯ信号処理器４１では、第１の実施形態と同様、ＦＦＴユニット３２−１〜３２−Ｍからのデータシンボル区間の信号に対して、メモリ３９−１〜３９−Ｍに格納された各既知シンボルのサブキャリア毎の伝送路推定値と、カウンタ３５のカウンタ値を送信アンテナ数の推定値として用いることで、例えば最尤推定のようなＭＩＭＯ信号受信処理がなされる。ＭＩＭＯ信号受信処理後の信号に対してチャネル復号が行われ、これによって送信されてきたデータ４２が再生される。
【００８５】
ここで、同一のアンテナから送信された隣接するサブキャリア間では伝送路の影響はほぼ同じ、すなわち、同一アンテナから送信される隣接するサブキャリアの伝送路特性は高い正の相関値を持つとする。また、伝送路の時間変動は緩やかであり、時間的に隣接するシンボル間で伝送路はほぼ同じであると考える。さらに、異なるアンテナから送信されたサブキャリア間での伝送路特性は比較的低い相関を持つと考える。このときj番目の受信アンテナの除算器（除算器３３−jとする）がi番目に受信した既知シンボルのn番目のサブキャリア信号を用いて推定した伝送路特性値（除算器３３−ｊの出力信号）をＨ
ｊ（ｉ，ｎ）とすると、全ての受信アンテナにおいて以下のような伝送路特性Ｈｊ（ｉ，ｎ）が求まることが予想される。
【００８６】
＜送信アンテナ数「１」の場合＞
すべてのサブキャリアは同一のアンテナから送信されているので、偶数番目（ｎ番目とする）のサブキャリアの伝送路特性の推定値Ｈｊ（１，ｎ）とその前の番号の隣接サブキャリアの伝搬路特性の推定値Ｈｊ（１，ｎ−１）は高い正の相関を持つ。
【００８７】
＜送信アンテナ数「２」の場合＞
最初に受信する既知シンボル（ｉ＝１）では、偶数番目（ｎ番目とする）のサブキャリアとその前の番号の隣接サブキャリア（ｎ−１番目）は、それぞれ異なるアンテナから送信されているため、Ｈｊ（１，ｎ）とＨｊ（１，ｎ−１）は比較的低い相関を持つと考えられる。
【００８８】
２番目に受信する既知シンボル（ｉ＝２）では、偶数番目（ｎ番目とする）のサブキャリアと最初に受信した既知シンボル（ｉ＝１）の隣接サブキャリア（ｎ−１番目）は、同一アンテナから送信されており、かつ、隣接サブキャリアであるため、Ｈｊ（２，ｎ）とＨｊ（１，ｎ−１）は高い正の相関値を持つ。
【００８９】
＜送信アンテナ数「３」の場合＞  
最初に受信する既知シンボル（ｉ＝１）では、偶数番目（ｎ番目とする）のサブキャリアとその前の番号の隣接サブキャリア（ｎ−１番目）は、それぞれ異なるアンテナから送信されているため、Ｈｊ（１，ｎ）とＨｊ（１，ｎ−１）は比較的低い相関を持つと考えられる。
【００９０】
２番目に受信する既知シンボル（ｉ＝２）では、偶数番目（ｎ番目とする）のサブキャリアと最初に受信した既知シンボル（ｉ＝１）の隣接サブキャリア（ｎ−１番目）は、それぞれ異なるアンテナから送信されているため、Ｈｊ（２，ｎ）とＨｊ（１，ｎ−１）は比較的低い相関を持つと考えられる。
【００９１】
３番目に受信する既知シンボル（ｉ＝３）では、偶数番目（ｎ番目とする）のサブキャリアと最初に受信した既知シンボル（ｉ＝１）の隣接サブキャリア（ｎ−１番目）は、同一アンテナから送信されており、かつ、隣接サブキャリアであるため、Ｈｊ（３，ｎ）とＨｊ（１，ｎ−１）は高い正の相関値を持つ。
【００９２】
以上のことからわかるように、送信アンテナ数がＭであれば、Ｍ番目に受信する既知シンボルから推定したサブキャリアの伝送路特性と最初に受信した既知シンボルから推定したサブキャリアの伝送路特性値の＋１周波数シフトの特性とは高い相関値を持つため、その高い正の相関値を検出することで、アンテナ数を推定することが可能である。
【００９３】
以下、図６に示すフローチャートを参照して、第２の実施形態に係る図３の受信機の送信アンテナ数推定手順のアルゴリズムについて説明する。なお、図６において、図４と同一部分には同一符号を付している。図６では、図４のステップＳ１０４がステップＳ１０４´に置き換わっている。
【００９４】
まず、カウンタ３５に初期値として「１」を設定した後（ステップＳ１０１）、ｊ番目アンテナで受信した既知シンボルの周波数波形を除算器３３−ｊに入力する（ステップＳ１０２〜ステップＳ１０３）。除算器３３−ｊに入力されたサブキャリアごとの波形は既知シンボルパターンで除算することで伝送路特性値に変換される。
【００９５】
ｊ番目の受信アンテナにおけるｉ（ｉ＝１，２，３…）番目に受信した既知シンボルの各サブキャリア（ｎ＝０〜Ｎ−１）の伝送路特性値、すなわち、除算器出力をＨｊ（ｉ，ｎ）とする。１番目（ｉ＝１）に受信した既知シンボルの各サブキャリアの伝送路特性値は、Ｈｊ（１，ｎ）と表せるから、その＋１周波数シフトした特性は、Ｈｊ（ｉ，ｎ−１）と表すことができる。受信された各既知シンボルの伝送路特性Ｈｊ（ｉ，ｎ）と、１番目の既知シンボルから得られた特性Ｈｊ（１，ｎ−１）との相関値を相関器３８−ｊにより求める（ステップＳ１０４）。この相関演算はｉ番目の既知シンボル受信時において以下のように定義される。
【００９６】
（相関値）＝Ｈｊ（ｉ，１）＊Ｈｊ（１，０）＋Ｈｊ（ｉ，２）＊Ｈｊ（１，１）＋Ｈｊ（ｉ，３）＊Ｈｊ（１，２）＋…＋Ｈｊ（ｉ，Ｎ−１）＊Ｈｊ（１，Ｎ−２）
但し、ａ＊ｂはｂの複素共役をａに乗算する演算である。
【００９７】
判定器４０では、相関器３８−ｊにより計算された相関値を判定し、これがあらかじめ定められた閾値より大きい（あるいは閾値以上の）場合（ステップＳ１０５）、現在受信したシンボルが既知シンボルの最後であると判断して、カウンタ３５で求まるこれまでに受信した既知シンボルのパターン数で送信アンテナ数を推定する。ここでは、既知シンボル数は送信アンテナ数に等しいため、このカウンタ３５の値が送信アンテナの推定値となる（ステップＳ１０６）。
【００９８】
ＭＩＭＯ信号処理器４１は、こうして推定された送信アンテナ数を用いてデータシンボルの再生を行う。ステップＳ１０５において、相関の値が閾値以下（あるいは閾値未満）の場合、次の既知シンボルを受信したうえで（ステップＳ１０７）、カウンタ３５を１つインクリメントし（ステップＳ１０８）、ステップＳ１０３へ戻り、新たな既知シンボルから上記同様にして伝送路特性値を推定し（ステップＳ１０３）、はじめに受信した既知シンボルを用いて推定した伝送路特性の＋１周波数シフトした特性Ｈ１（ｎ−１）との相関を計算する（ステップＳ１０４´）。以下、既知信号を受信する毎にステップＳ１０３〜Ｓ１０８の動作を繰り返す。
【００９９】
この第２の実施形態においても、受信アンテナが複数である場合、以下のような方式も考えられる。
【０１００】
（ａ）全ての受信アンテナについて相関値が閾値以上の（あるいは閾値より大きい）値になった場合のみ、既知シンボルの終端とみなして送信アンテナ数を決定する。
【０１０１】
（ｂ）全ての受信アンテナから算出された相関値を加算平均し、その合計の相関値が閾値より大きい値になった場合に、既知シンボルの終端とみなして送信アンテナ数を決定する。
【０１０２】
上記（ａ）の方が条件が厳しいが、条件が一致した場合には確実に送信アンテナ数を検出することができる。
【０１０３】
以上述べたように、第２の実施形態によれば、第１の実施形態と同様、送信側で送信アンテナ数を通知することなく、既知シンボルを用いてアンテナ毎の伝送路推定を行いながら，送信アンテナ数をブラインド処理で推定することが可能である。
【０１０４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０５】
【図１】本発明の第１乃至第２の実施形態に係る送信機の構成例を示した図。
【図２】第１の実施形態による既知シンボルの送信方法を説明する図。
【図３】第１乃至第２の実施形態に係る受信機の構成例を示した図。
【図４】第１の実施形態における送信アンテナ数推定アルゴリズムを説明するためのフローチャート。
【図５】第２の実施形態による既知シンボルの送信方法を説明する図。
【図６】第２の実施形態における送信アンテナ数推定アルゴリズムを説明するためのフローチャート。
【符号の説明】
【０１０６】
１０…送信データ；
１１…符号化器；
１２…直並列変換器；
１３−１〜１３−Ｍ…変調器；
１４−１〜１４−Ｍ…直並列変換器；
１５…既知シンボルパターン発生器；
１６…カウンタ；
１７…セレクタ；
１８−１〜１８−Ｍ…ＩＦＦＴユニット；
１９…送信回路；
２０−１〜２０−Ｍ…送信アンテナ；
３０−１〜３０−Ｍ…受信アンテナ；
３１…受信回路；
３２−１〜３２−Ｍ…ＦＦＴユニット；
３３−１〜３３−Ｍ…除算器；
３４…既知シンボルパターン発生器；
３５…カウンタ；
３６−１〜３６−Ｍ…シフト回路；
３７−１〜３７−Ｍ…メモリ；
３８−１〜３８−Ｍ…相関器；
３９−１〜３９−Ｍ…メモリ；
４０…判定器；
４１…ＭＩＭＯ受信部；
【図１】
2006101035.tif 000003
【図２】
2006101035.tif 000004
【図３】
2006101035.tif 000005
【図４】
2006101035.tif 000006
【図５】
2006101035.tif 000007
【図６】
2006101035.tif 000008